(57)【要約】  【課題】  節水機能を持った吐出切換装置を提供すること。  【解決手段】  吐水管１の吐水口部３に着脱自在に接続されるほぼ筒状の接続部７と、この接続部７の下流側に設けられた環状の段部８と、この段部８に連設され、内径が接続部７の内径よりも小さい管状の小径部９と、この小径部９の下流側に設けられ、前記吐水管１からの水を直放水状態と散水状態とのいずれかに切り換えて吐出するように構成された切換機構１０とを備えた吐出切換装置６であって、前記小径部９の内側に収容される筒状部１６と、この筒状部１６の上流側に連設され、前記段部８に係止されるフランジ部１７と、前記筒状部１６の下流側に連設され、貫通孔１８ａが形成された閉塞部１８とを有する節水用部材１５を備えた。  【選択図】  図３
2005344343.tif 000002
【特許請求の範囲】
【請求項１】
吐水管の吐水口部に着脱自在に接続されるほぼ筒状の接続部と、この接続部の下流側に設けられた環状の段部と、この段部に連設され、内径が接続部の内径よりも小さい管状の小径部と、この小径部の下流側に設けられ、前記吐水管からの水を直放水状態と散水状態とのいずれかに切り換えて吐出するように構成された切換機構とを備えた吐出切換装置であって、前記小径部の内側に収容される筒状部と、この筒状部の上流側に連設され、前記段部に係止されるフランジ部と、前記筒状部の下流側に連設され、貫通孔が形成された閉塞部とを有する節水用部材を備えたことを特徴とする吐出切換装置。
【請求項２】
吐水管の吐水口部に着脱自在に接続されるほぼ筒状の接続部と、この接続部の下流側に設けられた環状の段部と、この段部に連設され、内径が接続部の内径よりも小さい管状の小径部と、この小径部の下流側に設けられ、前記吐水管からの水を直放水状態と散水状態とのいずれかに切り換えて吐出するように構成された切換機構とを備えた吐出切換装置であって、貫通孔を有する板状体と、この板状体の周縁部に取り付けられ、前記段部に当接する状態で配置される環状パッキンとからなる節水用部材を備えたことを特徴とする吐出切換装置。
【発明の詳細な説明】
【技術分野】
【０００１】
この発明は、例えばキッチンの流し台に設けられた吐水管の先端に着脱自在に取り付けられ、吐出する水（水と称しているが、例えば湯沸器などからの湯や、湯水混合栓からの混合湯水などを含む）を直放水状態とシャワー状の散水状態とのいずれかとするように構成された吐出切換装置に関する。
【背景技術】
【０００２】
上記の吐出切換装置は、例えば、直放水のみしか行えない吐水管などに後付けすれば、直放水に加えてシャワー状の散水を行わせることができるようになる。また、吐水管に着脱自在となっており、交換なども容易に行うことができる。
【発明の開示】
【発明が解決しようとする課題】
【０００３】
そして、本発明者は、鋭意研究の結果、前記吐出切換装置に節水機能を持たせることに想到した。
【０００４】
この発明は上述の事柄に留意してなされたもので、その目的は、節水機能を持った吐出切換装置を提供することである。
【課題を解決するための手段】
【０００５】
上記目的を達成するために、この発明の吐出切換装置は、吐水管の吐水口部に着脱自在に接続されるほぼ筒状の接続部と、この接続部の下流側に設けられた環状の段部と、この段部に連設され、内径が接続部の内径よりも小さい管状の小径部と、この小径部の下流側に設けられ、前記吐水管からの水を直放水状態と散水状態とのいずれかに切り換えて吐出するように構成された切換機構とを備えた吐出切換装置であって、前記小径部の内側に収容される筒状部と、この筒状部の上流側に連設され、前記段部に係止されるフランジ部と、前記筒状部の下流側に連設され、貫通孔が形成された閉塞部とを有する節水用部材を備えたことを特徴としている（請求項１）。
【０００６】
また、上記目的を達成するために、この発明の吐出切換装置は、吐水管の吐水口部に着脱自在に接続されるほぼ筒状の接続部と、この接続部の下流側に設けられた環状の段部と、この段部に連設され、内径が接続部の内径よりも小さい管状の小径部と、この小径部の下流側に設けられ、前記吐水管からの水を直放水状態と散水状態とのいずれかに切り換えて吐出するように構成された切換機構とを備えた吐出切換装置であって、貫通孔を有する板状体と、この板状体の周縁部に取り付けられ、前記段部に当接する状態で配置される環状パッキンとからなる節水用部材を備えたことを特徴としている（請求項２）。
【発明の効果】
【０００７】
請求項１および２に係る発明では、節水用部材を設けたことによって、吐水管を流れてきた水の吐出量を制限することができ、これにより、節水機能をもった吐出切換装置が得られる。また、既製の吐出切換装置に対して前記節水用部材を装着するだけで、前記節水機能をもつこの発明の吐出切換装置を構成することができ、しかも、前記節水用部材は極めてシンプルであるのでこれを設けるための費用がほとんどかからない。また、前記吐出切換装置は、節水用部材を装着した状態では節水機能を発揮する一方、節水用部材を取り外した状態では通常の吐水量を確保することができるので、その使用状態を吐水管の使用状況などに柔軟に対応させることができる。
【発明を実施するための最良の形態】
【０００８】
図１および図２は、この発明の一実施の形態を示し、図１は、この発明の一実施の形態に係る吐出切換装置が取り付けられる前の吐水管の構成を概略的に示す縦断面図である。この図において、１はキッチンの流し台に設けられた吐水管であり、湯水混合栓または単水栓（図示していない）に接続されている。この吐水管１の先端部には樹脂製の断熱キャップ２が設けられており、この断熱キャップ２の下側には、外周面に雄ねじ部３ａが形成されたほぼ円筒状の吐水口部３が設けられている。そして、吐水口部３には、ストレーナ４を内蔵した整流器５が水密状態で螺着されている。なお、５ａはＯリングである。
【０００９】
そして、前記ストレーナ４を内蔵した整流器５をＯリング５ａとともに吐水口部３から取り外すことにより、前記吐水管１にこの実施の形態に係る吐出切換装置６（図２参照）を取り付けることができる状態となる。
【００１０】
図２は、前記吐出切換装置６の構成を概略的に示す説明図である。この図において、７は吐水管１の吐水口部３に着脱自在に接続されるほぼ筒状の接続部であり、この接続部７の内壁には前記吐水口部３の雄ねじ部３ａに螺着する雌ねじ部７ａが形成されている。そして、前記接続部７の下流側に環状の段部８が設けられ、さらに、この段部８には、内径が接続部７の内径よりも小さい管状の小径部９が下流側に向けて連設されている。
【００１１】
また、吐出切換装置６は、前記小径部９の下流側に、前記吐水管１からの水を直放水状態と散水状態とのいずれかに切り換えて吐出するように構成された切換機構１０を備えている。この切換機構１０は、中央部に設けられた直放水吐出口１１と、この直放水吐出口１１のまわりに形成された複数の散水吐出口１２と、上記二種の吐出口１１，１２を択一的に前記吐水管１に連通させる流路切換用の弁機構１３とを有している。
【００１２】
１４は前記弁機構１３を操作するための操作部材であり、この操作部材１４を軸まわりに回転操作することによって弁機構１３が連動し、操作部材１４を一方に９０°回転させると、直放水吐出口１１に吐水管１内の流路が連通する状態となり、他方に９０°回転させると、散水吐出口１２に吐水管１内の流路が連通する状態となる。
【００１３】
なお、前記切換機構１０としては種々の構成のものが公知であり、それらの構成のうち適宜のものを採用することができる。
【００１４】
ここまでの構成は、従来の吐出切換装置と何ら変わらない。そして、この実施の形態の吐出切換装置６は、ステンレス製の節水用部材１５を着脱自在に備えている点に特徴を有している。すなわち、節水用部材１５は、前記小径部９の内側に収容される筒状部１６と、この筒状部１６の上流側に連設され、前記段部８に係止されるフランジ部１７と、前記筒状部１６の下流側に連設され、ほぼ中央に貫通孔１８ａが形成された閉塞部１８とを有している。
【００１５】
上記節水用部材１５を吐水切換装置６の上流部にその上方から嵌め込んで装着することにより、吐水管１からの水が必ず貫通孔１８ａを通過する状態となり、これによって、節水効果が得られる。このとき、節水用部材１５の下端は、図２に破線で示すように、小径部９よりも下側（下流側）に位置していてもよいし、小径部９の内側に位置していてもよい。また、吐水切換装置６に装着された節水用部材１５は、持ち上げるだけで容易に吐水切換装置６の上流部から取り外すことができる。なお、図２において、１９は節水用部材１５を吐水切換装置６の上流部に装着したときに段部８上においてフランジ部１７よりも外側に配置されるパッキンである。
【００１６】
そして、前記吐水切換装置６は吐水管１の吐水口部３に対して着脱自在となっているので、吐水切換装置６の上流部に対する前記節水用部材１５の着脱も容易に行うことができる。
【００１７】
なお、この発明は、上記の実施の形態に限られず、種々に変形して実施することができる。例えば、上記実施の形態において、節水用部材１５に代えて、図３に示す節水用部材２０を用いてもよい。すなわち、この節水用部材２０は、貫通孔２１を有する板状体２１と、この板状体２１の周縁部に取り付けられ、前記段部８に当接する状態で配置される環状パッキン２２とからなる。この節水用部材２０によっても前記節水用部材１５によって得られる効果と同様の効果が得られる。また、この節水用部材２０を用いる場合、前記パッキン１９は不要となる。
【００１８】
ここで、節水用部材１５の閉塞部１８に設ける貫通孔１８ａおよび節水用部材２０の板状体２１に設ける貫通孔２１ａの大きさはそれぞれ、小径部９の断面よりも小さい範囲で任意に設定することができる。
【００１９】
また、節水用部材１５の閉塞部１８に設ける貫通孔１８ａの数は一つに限られず、図４（Ａ）に示すように、複数（例えば五つ）であってもよい。同様に、節水用部材２０の板状体２１に設ける貫通孔２１ａの数も一つに限られず、図４（Ｂ）に示すように、複数（例えば四つ）であってもよい。
【００２０】
さらに、上記実施の形態では、吐水管１の吐水口部３に設けられた雄ねじ部３ａに取り付けられるように、前記雄ねじ部３ａに螺着する雌ねじ部７ａが接続部７に設けられているが、このような構成に限られず、例えば、接続部７の側壁を貫通し側壁の外側から内側へとねじこまれる複数のねじ部材（図示していない）によって接続部７が吐水管１の吐水口部３に取り付けられるように構成されていてもよい。この場合には、吐水口部３に雄ねじ部３ａが設けられていなくても吐水切換装置６を取り付けることができる。
【図面の簡単な説明】
【００２１】
【図１】この発明の一実施の形態に係る吐出切換装置が取り付けられる前の吐水管の構成を概略的に示す縦断面図である。
【図２】上記実施の形態における吐出切換装置の構成を概略的に示す説明図である。
【図３】上記実施の形態における吐出切換装置の変形例の構成を概略的に示す説明図である。
【図４】（Ａ）は、図２に示された節水用部材の変形例の構成を概略的に示す斜視図、（Ｂ）は、図３に示された節水用部材の変形例の構成を概略的に示す斜視図である。
【符号の説明】
【００２２】
１  吐水管
３  吐水口部
６  吐出切換装置
７  接続部
８  段部
９  小径部
１０  切換機構
１５  節水用部材
１６  筒状部
１７  フランジ部
１８  閉塞部
１８ａ  貫通孔
【図１】
2005344343.tif 000003
【図２】
2005344343.tif 000004
【図３】
2005344343.tif 000005
【図４】
2005344343.tif 000006